(57)【要約】【課題】  バンドの長さを容易に調節することができ、装飾的アイテムとしてのデザイン上の自由度を提供できる腕時計用のバンドを提供する。【解決手段】  バンドは、使用者が装着することができる時計ケース又は装飾的アイテムに接続し得る又は接続されたバンドである。バンドは、複数の分離可能なユニット及び前記ユニットの少なくとも一部を分離し得るように一体に接続してバンドを形成する手段を有してなり、隣接する２つのユニットは分離し得るように共に固定することができ、前記分離可能な接続手段は、使用者の指によって手作業で作動させ又は押し下げして前記隣接するユニットを互いに分離させることができる操作可能な手段を有している。【選択図】  図１
2007130447.tif 000002
【特許請求の範囲】
【請求項１】
使用者が装着することができる、時計ケース又は装飾的アイテムに接続し得る又は接続されたバンドであって、複数の分離可能なユニット及び前記ユニットの少なくとも一部を分離し得るように一体に接続してバンドを形成する手段を有してなり、前記ユニットの少なくとも１つは前記バンドの連結部であり、隣接する２つのユニットは分離し得るように共に固定することができ、前記分離可能な接続手段は使用者の指によって手作業で作動させ又は押し下げして前記隣接するユニットを互いに分離させることができる操作可能な手段を有することを特徴とするバンド。
【請求項２】
前記分離可能な接続手段は、何らかのツールを用いることなく操作することができる手段であることを特徴とする請求項１記載のバンド。
【請求項３】
前記隣接するユニットは、前記分離可能な接続手段の接続部材によって互いに分離可能なように接続されている請求項１記載のバンド。
【請求項４】
前記接続部材は、前記バンドの隣接するユニットの幅方向を横切る横方向端部に位置する少なくとも１つのアクチュエータ又はただ１つのアクチュエータを有しており、前記アクチュエータを作動させると、前記隣接するユニットを互いに分離することができる請求項３記載のバンド。
【請求項５】
前記接続部材は前記隣接するユニットの対向する側に位置する２つのアクチュエータを有しており、前記アクチュエータを作動させると、前記隣接するユニットを互いに分離することができる請求項３記載のバンド。
【請求項６】
前記分離可能な接続手段の少なくとも一部が前記ユニットから突出している請求項１記載のバンド。
【請求項７】
前記アクチュエータの一部が前記ユニットの中に配置されている請求項４記載のバンド。
【請求項８】
前記アクチュエータの一部が前記ユニットの中に配置されている請求項５記載のバンド。
【請求項９】
前記隣接するユニットにおける２つのユニットの一方のユニットが１又はそれ以上のピンを有しており、他方のユニットはそれに対応する１又はそれ以上の凹部を有しており、前記ピンは前記凹部と係合して、前記隣接するユニットを分離可能なように一体にロックする請求項１記載のバンド。
【請求項１０】
前記分離可能な接続手段は、１又はそれ以上のピンを初期設定のロックされた位置に偏向させるバネ手段を有する請求項９記載のバンド。
【請求項１１】
前記隣接する２つのユニットは、相互に接続又は係合させる場合に、水平面上で相互方向に向かって移動することができる請求項１記載のバンド。
【請求項１２】
１又はそれ以上のユニットは、前記バンドの中で、配置を変えたり、向きを変えたり及び／又は反転させたりすることができる請求項１記載のバンド。
【請求項１３】
１又はそれ以上のユニットを付加すること又は取り外すことによって、長さを調節することができる請求項１記載のバンド。
【請求項１４】
接続手段はそのユニットに溝手段を有していない請求項１記載のバンド。
【請求項１５】
前記ユニット又はその部分は、比較的厚い金属プレートから打ち抜くことによって形成されている請求項１記載のバンド。
【請求項１６】
前記ユニット又はその部分は、コイル状又はチューブ状構造の形態である請求項１記載のバンド。
【請求項１７】
前記ユニットは、寸法、形状、長さ、材料及び／又は色彩について同じであるか又は異なっている請求項１記載のバンド。
【請求項１８】
前記ユニットの少なくとも１つは上向きの表面及び下向きの表面を有しており、前記表面は異なる装飾パターン又は物体を有している請求項１記載のバンド。
【請求項１９】
少なくとも１つのユニット又はその部分が金属材料から形成されている請求項１記載のバンド。
【請求項２０】
前記バンドは、時計のリストバンド又はリングバンドである請求項１記載のバンド。
【請求項２１】
請求項１に記載のバンドに接続されている時計ケース。
【請求項２２】
少なくとも２つのサブユニットと、そのサブユニットを分離可能なように一体に接続できる手段とを有する時計ケースであって、前記分離可能なように相互に接続できる手段は、使用者の指によって手作業で作動させ又は押し下げして前記隣接するユニットを互いに分離させることができる操作可能な手段を有する時計ケース。
【請求項２３】
請求項２２記載の時計ケースと、該時計ケースに接続されている請求項１記載のバンドとを有してなる時計。
【請求項２４】
前記時計ケースの少なくとも１つのサブユニットは、前記時計の中で、配置を変えたり、向きを変えたり及び／又は反転させたりすることができる請求項２３記載の時計。
【発明の詳細な説明】
【技術分野】
【０００１】
この発明は、使用者が装着することのできる長尺のバンド、リストバンド、そのようなバンドを有する腕時計及び／又は時計ケースに関する。
【背景技術】
【０００２】
使用者が装着することのできる装飾的アイテムには種々のものがあり、それらのアイテムには腕時計、ブレスレット及びネックレスが含まれる。それらのアイテムに共通する１つの構成は、それらが時計ケース、メダル、宝石又は水晶などであり得る装飾部に接続されるバンド部を有するということである。バンド部は、多数の小さなループが互いにしっかりと連結されてバンドを形成するチェーンの形態であってよい。この特定の構成のため、そのようなチェーン型のバンドについてのデザイン上の自由度はしばしば制限されている。また、腕時計の典型的な金属バンドの場合、バンドは、複数の連結部が全体として一体に（又は相互に）しっかりと留められて形成されており、突発的に又は簡単に分離しないように腕時計に連結されている。そのような腕時計のバンドの長さを調節することにはしばしば手間がかかり、通常は少なくとも専用のねじ回し及びハンマーを用いることを必要とする。更に、この種の金属製のリストバンドにはデザイン上の自由度が制限されている。
【発明の開示】
【発明が解決しようとする課題】
【０００３】
この発明は、バンドの長さを調節することに伴う問題点を解決することを目的としており、装飾的アイテム、例えば時計ケースに手軽に接続することができる又は接続された選択的バンドを提供する。また、この発明は、装飾的バンドを使用するための一種の連結手段であって、デザイナーにデザイン上の自由度を提供し、若しくは容易に調節することができ、又は人々に少なくとも代替手段を提供する装飾的バンドに用いられる連結手段を提供する。
【課題を解決するための手段】
【０００４】
（発明の要旨）
この発明の第１の要旨によれば、使用者が装着することができる、時計ケース又は装飾的アイテムに接続し得る又は接続されたバンドであって、複数の分離可能なユニット及び前記ユニットの少なくとも一部を分離し得るように一体に接続してバンドを形成する手段を有してなり、前記ユニットの少なくとも１つは前記バンドの連結部であり、隣接する２つのユニットは分離し得るように共に固定することができ、前記分離可能な接続手段は使用者の指によって手作業で作動させ又は押し下げして前記隣接するユニットを互いに分離させることができる操作可能な手段を有することを特徴とするバンドが提供される。
バンドが例えば時計ケースに接続される場合、その時計ケースはユニットの１つと考えることができる。分離可能な接続手段の操作又はユニットの接続若しくは分離には、一般に何らかのツールを用いることを要しない。
【０００５】
特に、隣接するユニットは、分離可能な接続手段の接続部材によって分離可能なように一体に接続することができる。１つの態様では、接続部材は、バンドの２つの隣接するユニットの幅方向を横切る横方向端部（lateral end）に設けられている（又は載る(residing)）少なくとも１つのアクチュエータ又はただ１つのアクチュエータを有している。そのアクチュエータを作動させると、隣接するユニットを互いに分離させることができる。別の態様では、接続部材は、隣接するユニットの対向する側に位置する２つのアクチュエータを有している。そのアクチュエータを作動させると、隣接するユニットを互いに分離させることができる。アクチュエータの操作には、一般に、何らかのツールを必要とせず、不慣れな使用者（lay users）であっても容易に操作することができるので、アクチュエータを用いることが好ましい。
【０００６】
分離可能な接続手段の少なくとも一部は、ユニットから突出していることが好ましい。突出する部分はアクチュエータであってよく、このアレンジメントによって、接続手段をより手軽に操作することができる。別法として、１又はそれ以上のアクチュエータ又はアクチュエータの部分は、それらが突発的に作動することがないように、フランジによって包囲することができる。
【０００７】
バンドにおいて、隣接するユニットにおける２つのユニットの一方のユニットは突出部(protrusion)を有することができ、その突出部は他方のユニットに設けられている相補的な凹部(complementary recess)に係合し得る。このアレンジメントによれば、構造的にも審美的にも有利なインターロック機構が提供される。特に、隣接するユニットにおける２つのユニットの一方のユニットに１又はそれ以上のピンが設けられており、そのピンは隣接ユニットにおける他のユニットの１又はそれ以上の対応する凹部と係合して、隣接するユニットを分離可能なように一体にロックする。そのようなピン型の構造は、比較的コンパクトで、信頼性があるために好ましいものであって、隣接するユニットを一体にロックするために好適である。分離可能な接続手段は、１又はそれ以上のピンを初期設定(default)のロックされた状態へ偏向させるためのバネ手段を有することができる。
【０００８】
バンドの１つの特徴は、隣接するユニットどうしを接続又は係合させる場合に、前記隣接するユニットが水平面上で相互方向に向かって移動し得ること又は相互に移動したことである。この接続又は係合は、ユニットどうしを非常に簡単な方法にて単に相互に移動させることによって達成され、比較的小さなユニットを何らかの方法で操作することを必要としないので、有利である。
【０００９】
バンドのその他の特徴は、１又はそれ以上のユニットはバンドの中で、配置を変えたりすること(re-positionable)、向きを変えたりすること(re-orientable）及び／又は反転させたりすること(reversible）ができるということである。更に、バンドの長さは、１又はそれ以上のユニットを付加すること又は取り外すことによって、調節することができる。このことによって、この型のバンドにはデザイン上の自由度が更に許容される。
【００１０】
接続手段がそのユニットに溝手段を有さないことも可能であって、ユニットの接続には溝手段の中にピン手段をを通す必要がないことが好ましい。
【００１１】
ユニット又はその部分は、比較的厚い金属プレートから打ち抜くことによって形成することもできる。別法として、ユニット又はその部分は、コイル状又はチューブ状の構造の形態であってもよい。
【００１２】
ユニットは、寸法、形状、長さ、材料及び／又は色彩について同じであってもよいし又は異なっていてもよい。更に、前記ユニットの少なくとも１つは上向きの表面及び下向きの表面を有することができ、その表面は異なる装飾パターン又は装飾物体を有していてもよい。ユニット少なくとも１つ又はその部分が金属材料から形成されていてもよい。
【００１３】
バンドはリストバンド、時計のリストバンド又はリングバンドであってよい。
本発明の第２の要旨によれば、上述のようなバンドに接続される時計ケースを有する時計が提供される。
【００１４】
本発明の第３の要旨によれば、少なくとも２つのサブユニット及びそれらサブユニットを分離可能なように一体に接続するための分離可能なように接続する手段を含んでなる時計ケースが提供される。分離可能なように接続する手段には、使用者の指によって手作業で作動させ又は押し下げして前記隣接するユニットを互いに分離させることができる操作可能な手段が含まれる。本発明の第３の要旨に関して、分離可能な接続手段は、上述した本発明の第１の要旨の分離可能な接続手段と全体として同様である。
【００１５】
本発明の第４の要旨によれば、上述した本発明の第３の要旨の時計ケースを有する時計が提供される。その時計ケースは、上述した本発明の第１の要旨のバンドに接続される。少なくとも１つのユニット又はサブユニットは、バンドの中で、配置を変えたり、向きを変えたり及び／又は反転させたりすることができることが好ましい。
【発明を実施するための最良の形態】
【００１６】
（本願発明の好ましい態様についての詳細な説明）
添付図面を参照しながら、以下にこの発明の説明を記載する。この発明のいくつかの態様例は、添付図面を参照して詳細に説明する。
【００１７】
図１ａ〜２ｂは、この発明の第１の態様の腕時計に関する。この態様例は、全体として符号１００で示される腕時計であって、多数の中間の連結部１０２〜１２０、１２６〜１４４を有するバンド１２４に接続された時計ケース１２２を含めて、複数の独立したユニット１０２、１０４、１０６、１０８、１１０、１１２、１１４、１１６、１１８、１２０、１２２、１２６、１２８、１３０、１３２、１３４、１３６、１３８、１４０、１４２、１４４を有する腕時計に関する。図１ｂ及び１ｃは、バンド１２４の分離した状態の連結部１０２〜１２０及び１２６〜１４４を示している。この態様において、両端の連結部１０２及び１４４を除いて、連結部１０２〜１２０及び１２６〜１４４は形状及び構造について同様である。例えば、連結部１１８は突出部１４６及び凹部１４８を有している。その突出部１４６は、隣接する連結部１１６の凹部１５８の中に適合する（又は嵌る）寸法及び形状を有している。同様に、連結部１２０は凹部１５０を有しており、その凹部１５０は時計ケース１２２の突出部１５２を収容できる寸法及び形状を有している。同様に、連結部１０４は突出部１５４を有しており、その突出部１５４は端部連結部１０２の相補的な凹部１５６の中に適合する寸法及び形状を有している。
【００１８】
ユニット１０２〜１４４は、以下に説明するような連結システム(connection system)を用いることによって、分離可能なように接続されている。図２ａ及び２ｂは、連結部１０４〜１２０及び１２６〜１４２の１つ（例えば、連結部１１８）をより詳細に示している。連結部１１８は、右側側方部材１６０、左側側方部材１６２、中央部材１６４、左側アクチュエータ１６６、右側アクチュエータ１６８及び部材１６０、１６２、１６４を一体に連結する２つの長いピン部材１７０及び１７２を有している。連結部１１８は、左側の短いピン部材１７４、右側の短いピン部材１７６、左側スプリング１７８、右側スプリング１８０、左側アダプタ１８２、右側アダプタ１８４、及び一対のリベット１８６、１８８を有しており、これらの部材はすべてアクチュエータ１６６及び１６８を前記側方部材１６２及び１６０に配置し及び取り付けるためのものである。
【００１９】
中央部材１６４には２つのチャンネル１９０、１９２が設けられており、これらチャンネル１９０、１９２は中央部材１６４の一端部（例えば頂部側端部）に互いに接近して隣接するように配置されている。チャンネル１９０、１９２は、長いピン部材１７０及び１７２の中央部をしっかりと収容できる寸法及び形状を有している。側方部材１６０及び１６２にはそれぞれ、短いピン部材１７４、１７６、長いピン部材１７０及び１７２の端部、スプリング１７８、１８０及びアダプター１８２、１８４を格納(housing)するためのキャビティ１９４が設けられている。従って、側方部材１６０及び１６２が中央部材１６４を挟む所定の位置に配置された場合には、２つの長いピン部材１７０及び１７２がチャンネル１９０、１９２及びキャビティ１９４の中を挿通することによってそれらを連結することができる。特に、チャンネル１９０、１９２は、長いピン部材１７０、１７２がチャンネル１９０、１９２の中に妥当な程度でしっかりと配置されるように、長いピン部材１７０、１７２の直径よりもわずかに大きな直径を有している。側方部材１６０及び１６２のキャビティ１９４は、その中にアダプター１８２、１８４がしっかりと（又は堅く）嵌るように、比較的大きく設けられている。各アダプター１８２、１８４にはその長手方向に沿ってそれぞれ３つの穴(bore)１８２ａ、１８２ｂ、１８２ｃ、１８４ａ、１８４ｂ、１８４ｃが設けられている。例えば、第１の穴１８２ａの中には短いピン部材１７４が挿通し、第２の穴１８２ｂの中にはスプリング１７８が挿通しており、第３の穴１８２ｃは長いピン部材１７２の端部を収容する。キャビティ１９４は、その中にアクチュエータ１６６、１６８の少なくとも一部が嵌り込むような大きさとなっている。図２ａ及び２ｂに示すように、アクチュエータ１６６、１６８にはそれぞれ開口部１９６が設けられている。側方部材１６０及び１６２にもそれぞれ小さな円形の部分１９７が設けられている。連結部１１８を組み立てる場合に、円形の部分１９７は、開口部１９６が、ピン部材１７０（１７２）、アダプター１８２（１８４）、ピン部材１７４（１７６）及び側方の部材１６６（１６８）に接触し、連絡するように位置する。組み立てられると、アクチュエータ１６６、１６８はスプリング１７８、１８０によって外側の位置へ向けて偏向され、一方、短いピン１７４、１７６は中央部材１６４及び内側の位置へ向けて偏向される。
【００２０】
図２ａは、組み立てられた連結部１１８の透視図である。図２ａは、連結部１１８の左側から、左側のアクチュエータ１６６、左側アダプター１８２が嵌められた左側側方部材１６２及び中央部材１６４を、長いピン部材１７２が接続している状態を示している。連結部１１８の右側からは、右側のアクチュエータ１６８、右側アダプター１８４が嵌められた右側側方部材１６０、中央部材１６４及び左側側方部材１６２を、長いピン部材１７０が接続している。従って、３つの部材１６０、１６２、１６４は相互に接続されており、側方部材１６０、１６２にはそれぞれアクチュエータ１６６、１６８が嵌められている。この態様において、アクチュエータ１６６ａ、１６８ａの部分は、側方部材１６０、１６２から突出している。例えば、左側アクチュエータ１６６を作動させる場合に、左側スプリング１７８が右側へ押されると、該スプリング１７８によってその端部に隣接して配置されている長いピン部材１７０の上側頂部が押される。上側の長いピン部材１７０は右側へ動き、キャビティ１９４の中で右側アダプター１８４をわずかに右側へ移動させ、右側の短いピン部材１７６をその初期設定の内側の位置から右側へ動かす。例えば、両方のアクチュエータ１６６、１６８を作動させると、同様の機構に従って、両方の短いピン部材１７４、１７６はそれらの初期設定の内側の位置から離れるように動くと考えることができる。その結果、（例えば符号１９３で示される）チャンネルにて、隣接する連結部１５０の中央部分と最初は係合していた短いピン部材１７４、１７６は、連結部１５０から分離された状態（図１ｂ、１ｃ）になる。隣接する連結部１１８、１２０はこのようにして相互に分離された状態になる。連結部１５０のチャンネルは、図２ｂに示すように連結部１１８のチャンネル１９３と同様であって、その対向する端部は、短いピン部材が係合し得るような凹部の役割を果たす。
【００２１】
連結部１１８の各ピン部材１７４、１７６は、連結部１１８が接続されるべき隣接する連結部１２０の方を向いてテーパーの付いた表面を有するテーパー付き端部１７４ａ、１７６ａを有している。テーパー付き端部１７４ａ、１７６ａは、初期設定では、側方部材１６０、１６２から突出するピン部材１７４、１７６の部分である。隣接する連結部１２０の突出部が連結部１１８の凹部１４８に係合する場合に、連結部１２０は水平位置にて動くことができ、連結部１２０のチャンネルの対向端部の凹部にて、連結部１１８、１２０がピン１７４、１７６によって一体にロックされる前に、ピン１７４、１７６を対向する向きに押すことができると考えられる。
【００２２】
バンド１２４の長さが使用者が必要とする長さよりも長い場合には、使用者は単に指でアクチュエータ（例えば、１６６、１６８等の適切な連結部）を押すことによって、連結部を互いに分離させて連結部を取り外し、その後、連結部の残部を再結合することによって、連結部１０４〜１２０及び１２６〜１４２の１又はそれ以上を取り外すことができる。この態様では連結部１０４〜１２０及び１２６〜１４２は同じであるが、連結部は実際には異なる色彩又はパターンで形成することができる。従って使用者はバンド１２４の中で連結部の配置を変えることによって、特有のアレンジメント又はコンビネーションでの連結部を形成することができる。この操作は、連結部を分離させ、所望のパターン又は色彩の配置の組み合わせで再接続することによって行われる。連結部は、上下反転して配置された場合であっても同様の機能を有するので、反転させて用いることもできるということに留意されたい。例えば、すべての連結部の一方の側を銀色とし、連結部の他方の側を金色とすることができる。使用時には、すべての連結部の銀色の面が外側を向いて、銀色の外観を有する時計バンドを形成するように容易に再構成することができる。別法として、すべての連結部の金色の面が外側を向いて、金色の外観を有する時計バンドを形成するように容易に構成することもできる。更に別法として、バンドの連結部が銀色と金色が交互に現れるパターンを示すように、連結部を再構成することもできる。
【００２３】
図３ａ〜４ｂは、本発明の第２の態様の腕時計２００に関する。この腕時計２００は、全体として、前記腕時計１００と同様であって、時計ケース２２２及び複数の連結部２１８を有するバンド２２４を有してなり、各連結部は中央部材２６４と、２つの側方部材２６０、２６２を有している。各側方部材２６０、２６２も同様にアクチュエータ２６６、２６８を有している。しかしながら、アクチュエータ１６６、１６８とは異なって、アクチュエータ２６６、２６８は側方部材２６０、２６２の中に配置され、連結部２１８の対向する外側端部のフランジ２６１、２６３によって包囲されている。使用する時には、アクチュエータ２６６、２６８が中央部材２６４へ向かって内側へ押されて、ピン２７４，２７６はそれらの内側の位置から離れるように動かされ、例えば、連結部２１８が隣接する連結部２２０から分離される。
【００２４】
図５ａから６ｂは、本発明の第３の態様の腕時計３００に関する。この腕時計３００は、前記腕時計１００とは異なっており、丸みを帯びた時計ケース３２２及び２つの連結部３１８及び３２０を有するバンド３２４を有する３つのユニットを有している。各連結部３１８及び３２０は柔らかい部材３２６、３２８を有しており、それら柔らかい部材３２６、３２８は金属端部部材３３０、３３２に連絡している。各端部部材３３０、３３２には凹部３３４、３３６が設けられており、その凹部３３４、３３６の中に時計ケース３２２の突出部３３８、３４０が嵌められている。金属端部部材３３０、３３２の反対側端部は柔らかい材料（例えば皮革）のストリップによって形成された柔らかい部材３２６、３２８に連絡している。連結部３１８、３２０及び時計ケース３２２は、上述したような接続システムを用いて相互に接続されている。特に、図６ａ及び６ｂは、金属部材３３０、３３２の構造を示している。１つの主要な相違点は、端部部材の下側端部にスロット３４２が設けられており、そこに柔らかい部材が常套の手法で取り付けられるということである。異なる色彩又はパターンの連結部を複数で用いてアクセサリーとすることもできるし、使用者が必要とする特定の様式に適合するように連結部を容易に置換することもできると考えられる。
【００２５】
図７ａから７ｃは、本発明の第４の態様の腕時計４００に関する。腕時計４００は、そのバンド４００の中に４つの連結部４０２、４０４、４０６及び４０８を有することを除いて、全体として腕時計３００と同じである。例えば、２つの連結部４０２、４０４が、上述したような接続システムを用いて相互に接続されている。
【００２６】
図８ａから９ｂは、本発明の第５の態様の腕時計５００に関する。腕時計５００は、丸みを帯びた時計ケース５２２を有することを除いて、全体として図１ａに示す腕時計１００と同じである。図９ａ及び９ｂに示す接続システムは、図２ａ及び２ｂに示した接続システムと同じである。
【００２７】
図１０ａから１１ｂは、本発明の第６の態様の腕時計６００に関する。この腕時計６００は、各連結部において、側方部材６６０、６６２の中に配置された２つのアクチュエータ６６６、６６８を有することを除いて、全体として図１ａに示す腕時計１００と同じである。
【００２８】
図１２ａから１３ｂは、本発明の第７の態様の腕時計７００に関する。この腕時計７００は、四角形の時計ケースを有することを除いて、全体として図５ａに示す腕時計３００と同じである。腕時計７００の接続システムは、腕時計３００の接続システムと同じである。
【００２９】
図１４ａから１４ｃは、本発明の第８の態様の腕時計８００に関する。腕時計８００は、そのバンドが４つの連結部８０２、８０４、８０６及び８０８を有することを除いて、全体として図１２ａに示す腕時計７００と同じである。連結部８０２と８０４、連結部８０６と８０８、連結部８０４（又は８０６）と時計ケースとは、それぞれ上述したような接続システムを用いて相互に接続されているか又は接続することができる。
【００３０】
図３７は、本発明の第９の態様の腕時計の部分を示している。腕時計１００とは異なって、この腕時計は、上述したものと同じ接続システムを用いて、一体に接続し得る２つの時計ケースを有している。この態様例では、１つの接続連結部を用いて２つの時計ケースが一体に接続されているが、接続連結部を用いることなく２つの時計ケースを直接的に一体に接続するように変更することもできると考えられる。
【００３１】
図３８は、本発明の第１０の態様の腕時計の部分を示している。この態様例は、１つの時計ケースが四角形の形状であり、１つの時計ケースが丸みを帯びた形状である点を除いて、全体として上記第９の態様例と同じである。
【００３２】
上述の第１、第２、第５及び第６の態様例において、連結部は本質的にステンレススチールで形成されている。他の態様例では、時計ケース又は隣接するユニットに接続可能な連結部の部分は本質的にステンレススチールで形成されており、その他の部分は柔らかい材料で形成されている。
【００３３】
図１５〜３６は、上述したようなユニットの部品を製造する工程を示している。特に図１５〜１９は、側方部材、例えば側方部材１６０を製造する工程を示している。図１５の左側図はカッティング・マシーン９００の模式的平面図であり、図１５の右側図はカッティング・マシーン９００の模式的側面図である。比較的厚いスチールプレート９０２をカッティング・マシーン９００の下側ステーション９０４の中に挿通するところが示されている。下側ステーション９０４には金型(mold)９１２が設けられており、その上側をスチールプレート９０２は通される。下側ステーション９０４には圧力プレート９１４も設けられており、スチールプレート９０２が下側ステーション９０４の中を通る際に、スチールプレート９０２は圧力プレート９１４と金型９１２とによってサンドイッチ形態に挟まれる。適当なカッター９０８が設けられている上側ステーション９０６を、下側ステーション９０４へ向かって下方へ動かすことによって、スチールプレート９０２からスチール部材９１０が切断される。それからスチール部材９１０はカッティング・マシーン９００から取り出される。スチール部材９１０は、製造しようとする側方部材１６０の寸法よりも多少大きな寸法を有している。図１６及び１７に示すように、スチール部材９１０は成形に付することにより、スチール部材９１０は所望の寸法及び形状を有するようになる。この操作は、スチール部材９１０を、成形装置９２０の上側ステーション９１６と下側ステーション９１８との間に配置し、ステーション９１６と９１８とを互いにプレスすることによって行われる。その後、スチール部材９１０は望ましくないエッジ部をトリミングすることによって仕上げ加工される。この操作は、成形されたスチール部材９１０を、エッジ部トリミング装置の上側ステーション９２２と下側ステーション９２４との間に配置し、存在し得る望ましくないエッジ部を切除することによって行われる。特に、好適なエッジ部トリミング金型(edge-trimming mold)が用いられる。図１９は、トリミングを行ったスチール部材、例えば側方部材１６０の模式的な側面図及び平面図を示している。側方部材１６０は使用前に、適切なキャビティがその中に形成される。キャビティは、例えば、連結部１１８のキャビティ１９４と同様のものである。
【００３４】
図２０〜２４は、アクチュエータ、例えば連結部１１８のアクチュエータ１６６を製造する工程を示している。これらの図に示すように、アクチュエータの製造工程は側方部材の製造工程と同様である。従って、アクチュエータの製造工程について繰り返して説明はしない。図２４は、アクチュエータの模式的な側面図及び平面図を示している。
【００３５】
図２５及び２６は、連結部（例えば連結部１１８）の側方部材９３８を製造する工程を示している。図１５〜図３６に示す側方部材の製造工程とは異なって、側方部材９３８はスチールシート９３０から製造される。図面は説明を要しない程度に自明であるので、関連する製造工程について繰り返して説明はしない。
【００３６】
図２７〜３１は、中央部材、例えば連結部１１８の中央部材１６４を製造する工程を示している。これらの図に示すように、中央部材の製造工程は側方部材１６０の製造工程と同様である。従って、中央部材の製造工程について繰り返して説明はしない。図３１は、中央部材の模式的な側面図及び平面図を示している。しかしながら、中央部材は、連結部のその他の部品と共に組み立てる前に、チャンネル１９０、１９２、１９３がその中に形成される。この操作は、中央部材にドリル加工することによって行うことができる。
【００３７】
図３２ａ〜図３３ｂは、中央部材（例えば、中央部材１６４）と側方部材（例えば、側方部材１６０、１６２）とを組み立てる工程を示している。図３２ａは、中央部材にはその両側に２つのレッグ９４０が設けられていることを示している。レッグ９４０の長さは側方部材１６０、１６２のキャビティの長さとほぼ同じであって、中央部材１６４を側方部材１６０、１６２がサンドイッチ形態に挟む場合に、そのレッグはキャビティに嵌り得るようになっている。側方部材１６０、１６２が中央部材１６４をサンドイッチ形態に挟んだ後、それらを一体に固定するために、符号９４２、９４４のポイントでそれらを溶接することができる。ピン（例えば、ピン１７０、１７２）及びアダプター（例えば、アダプター１８２、１８４）もそれらの部材を一体に固定するための固定手段としての機能を果たす。特に、図３３ａに示すように、固定手段は、第１の穴に固定される短いピンと、第２又は第３の穴に固定される長いピンとを有するアダプターを有している。ピンは、スナップ接続によって固定することができる。長いピンはそれぞれ、側方部材のキャビティを通して、中央部材の両側から中央部材の第１のチャンネル及び第２のチャンネルへ挿入される。アダプターは、その寸法のために、側方部材の中に完全に収容され得る。図３３ａの短いピンは外周部分のテーパー付き端部を有しているが、ピン１７４、１７６は部材１１８から離れる外側を向いたテーパー付き端部をそれぞれ１つ有しているという点で、図３３ａの短いピンはピン１７４、１７６と同じものではないということに留意されたい。図３３ｂは組み立て途中の連結部９５０を示している。連結部の組み立てを完成するために、側方部材にアクチュエータを取り付けてキャビティが覆われる。この操作は、まず、アクチュエータの第２の穴及び第３の穴にスプリング（例えばスプリング１７８、１８０）を入れ、次に、アクチュエータが側方部材にしっかりと受け入れられ及び保持されるように、アクチュエータをスプリングと共にキャビティに詰め込むことによって行われる。但し、アクチュエータは、押されることによって作動するように保たれる（図３４ａ及びｂ）。上述のように、スプリングが存在することによって、アクチュエータが外側の位置に偏向される（又はバイアスされる）。図３４ｃは、組み立てられて操作できるようになった連結部９５２を示している。図３５ａは、短いピンを製造する一連の工程と、そのピンのプロファイルを示している。図３５ａの工程１では、テーパーの付いた先端部を有する相対的に小径の前方領域と径の大きい後方領域とを有する長尺の金属部材が最初に調製される。工程１に示すように、部材には高くなったエッジ部がある。その後、この部材は処理に付されて、高くなったエッジ部に隣接する部分に環状の凹部又はネック部を形成するように刻まれる。最後に、この部材は更に処理されて、この部材の後方端部にも周方向のテーパー付きの端部が設けられる。
【００３８】
図３５ｂは、長いピンを製造する一連の工程を示している。図３５ｂの工程１では、より細い前方領域を有する長尺のピンが提供されている。ピンは、第２の及び第３の工程によって更に処理されて、細い前方領域はより長くなるが、径の多少大きな周方向のカラー部(collar)を有するようになる（図３５ｂ、工程４を参照のこと）。ピンは更に処理されて、その後方領域にピンの側面の長手方向に沿う向きに延びる一連のリブが設けられる。
【００３９】
アダプター及びピンのプロファイルの組み合わせは、連結部がその設計に基づいて操作し得るように、それらの機能を達成することが重要である。図３６ａ及びｂを参照すると、短いピンの前方領域及び後方領域の直径はアダプターの第１の穴の直径よりも実際に多少大きいが、ネック部の直径はわずかに小さくなっている。従って、ピンは、そのネック部を穴に係合させて、アダプターに取り付けられ及び確実に固定される。ピンをアダプターに更に確実に固定するため、図３６ｂに示すように、ピンをアダプターに挿入した後、アダプターのピンが係合している領域を、叩くこと等によってその領域を多少でも変形させ、ピンとより良好に係合するようにすることもできる。
【００４０】
長いピンは、そのカラー部が（第２又は第３の）穴に係合して、アダプターに固定することができる。ピンの後方領域の多少大きな直径のために、ピンはアダプターから抜け出すことが防止される。しかしながら、長いカラーは穴にしっかりと嵌るような寸法となっている。ピンは、アダプターのその領域を叩く等してその状態でアダプターが変形してピンをしっかりと固定（ロック）することによって、穴に係合するカラー部を更にしっかりと固定することができる。
【００４１】
図３９〜５１は、本発明の第１１の態様の腕時計用のバンド１１２４に関する。図３９は、バンド１１２４を示しており、その外観は全体として、図１におけるバンド１２４と同様である。バンド１１２４は、相互に接続することができる連結部として機能する、複数の独立したユニット１１０２、１１０４、１１０６、１１０８、１１１０、１１１２、１１１４、１１１６、１１１８、１１２０、１１２６、１１２８、１１３０、１１３２、１１３４、１１３６、１１３８、１１４０、１１４２、１１４４を有してなる。特に、これら連結部はそれぞれ、隣接する連結部の相補的凹部１１５８に受容され得る突出部１１４６を有している（図３９及び４０）。連結部は、左側側方部材１１６０、右側側方部材１１６２及び中央部材１１６４を有している。しかしながら、図３９に示すバンド１１２４は、その接続システムの構成の点で異なっている。特に、図４０を参照すると、右側側方部材１１６２だけにアクチュエータ１１６６が存在することが示されており、左側側方部材１１６０にはアクチュエータは存在していない。更に、第１の態様（図２参照）では、バンド１２４の連結部１１８の中央部材１６４はその中を通る３つの筒状のチャンネル１９０、１９２、１９３を有しているが、この態様では、中央部材１１６４には２つのチャンネル１１９２、１１９３が設けられているだけである（例えば、図４０及び４６参照）。更に、連結部１１８においては２つの長いピン１７０、１７２が必要とされているが、図４０の連結部は長いピン１１７２をただ１つ必要とするだけである。更に、第１の態様では、隣接する連結部のチャンネル１９３の対向する端部の凹部に係合するために、左側側方部材１６２及び右側側方部材１６０から２つの短いピン１７４、１７６が延びているが、この態様では、接続された隣接する連結部のチャンネル１１９３の対応する左側端部凹部に係合するために、左側側方部材１１６０に短いピン１１７４が１つだけ設けられている。ピン１１７４は、((上側の）隣接する連結部から分離するために）連結部の反対側に設けられたアクチュエータを作動させ又は押し込むと格納されるようになっており、偏向（又は付勢）されて突出し、左側端部凹部と係合し、隣接して接続される連結部にロックされる。この態様では更に、チャンネル１１９３の（右側）端部から突出するもう１つの短いピン１１７５が設けられている。この短いピンもテーパー付きの端部を有しており、それは隣接する連結部の右側側方部材の凹部１１７６の中に受容され得る。短いピン１１７５は、テーパー付きの端部が押されると格納することができるが、それぞれ下側に位置する隣接する連結部に係合させるために、スプリングによって外側の位置へ向けて偏向されている。連続した３つの連結部が相互に接続されている場合に、左側側方部材１１６０の短いピン１１７４及び中央部材１１６４の短いピン１１７は、一方の側の隣接する（上側）連結部のチャンネル１１９３の端部凹部及び他方の側の隣接する（下側）連結部の側方部材１１６２の凹部１１７６に係合する。図３９〜５８は説明を要しない程度に自明であるので、それらの構成について繰り返して説明はしない。
【００４２】
図５９〜７８は、本発明の第１２の態様の腕時計用のバンド１１２４に関する。これらの図は全体として、図３９〜５８に対応している。しかしながら、連結部の側方部材からアクチュエータが突出する第１１の態様とは異なって、この態様のアクチュエータは連結部の側方部材の中に完全に収容されている。その他のバンドの構成は全体として同様であるので、それらの構成について繰り返して説明はしない。
【００４３】
バンドの各連結部にただ１つのアクチュエータが儲けられている本発明に従って、代替のバンドを製造することができると考えられる。より特に、バンドの片側に１つおきで連結部にアクチュエータを設け、バンドの他方の側にも１つおきで連結部にアクチュエータを設けることができる。
【００４４】
上述のように、スチールプレートからスチール部品を切り出すことによって、連結部の種々の部品を最初に形成し、これらの部品は比較的薄い材料のシート（例えばスチールシート又はコイル）を用いることによって製造することができ、そのシートを例えば側方部材に形成することができるということに注意されたい。スチールプレートの代わりにスチールシートを用いることの利点は、得られる部品が比較的軽量であることである。もっとも、得られる部品の耐久性及び頑丈さを考慮すると、スチールプレートを用いることが好ましい。
【００４５】
上述したような接続システムによって、２つの独立したサブユニットを互いにしっかりと固定して、時計ケースを形成することができると考えられる。一方のサブユニットはアナログ式の時計（又は計時装置）を有しており、他方のサブユニットはデジタル式の時計を有するようにすることができる。いずれのサブユニットが所望されるかに応じて、使用者は腕時計の１つ又は両方のサブユニットを有することもできるし、又は取り外すこともできる。
【図面の簡単な説明】
【００４６】
【図１】図１ａは本発明の第１の態様における腕時計を示しており、その腕時計は複数の連結部を有するバンド及び四角形の時計ケースを有している。図１ｂ及び１ｃは、図１ａの腕時計の連結部を示している。
【図２】図２ａ〜図２ｂは、図１ｃの１つの連結部の部品を詳細に拡大した図を示している。
【図３】図３ａは本発明の第２の態様における腕時計を示しており、その腕時計は複数の連結部を有するバンド及び四角形の時計ケースを有している。図３ｂ及び３ｃは、図３ａの腕時計の連結部を示している。
【図４】図４ａ〜図４ｂは、図３ｃに示す連結部の１つの部品を詳細に拡大した図を示している。
【図５】図５ａは本発明の第３の態様における腕時計を示しており、その腕時計は複数の連結部を有するバンド及び丸みを帯びた時計ケースを有している。図５ｂは図５ａの腕時計の連結部を示している。
【図６】図６ａ〜図６ｂは、図５ｂに示す連結部の１つの部品を詳細に拡大した図を示している。
【図７】図７ａは本発明の第４の態様における腕時計を示しており、その腕時計は複数の連結部を有するバンド及び丸みを帯びた時計ケースを有している。図７ｂ及び７ｃは図７ａの腕時計の連結部を示している。
【図８】図８ａは本発明の第５の態様における腕時計を示しており、その腕時計は複数の連結部を有するバンド及び丸みを帯びた時計ケースを有している。図８ｂ及び８ｃは図８ａの腕時計の連結部を示している。
【図９】図９ａ〜図９ｂは、図８ｂに示す連結部の１つの部品を詳細に拡大した図を示している。
【図１０】図１０ａは本発明の第６の態様における腕時計を示しており、その腕時計は複数の連結部を有するバンド及び丸みを帯びた時計ケースを有している。図１０ｂ及び１０ｃは図１０ａの腕時計の連結部を示している。
【図１１】図１１ａ及び図１１ｂは、図１０ｃに示す連結部の１つの部品を詳細に拡大した図を示している。
【図１２】図１２ａは本発明の第７の態様における腕時計を示しており、その腕時計は複数の連結部を有するバンド及び四角形の時計ケースを有している。図１２ｂは図１２ａの腕時計の連結部を示している。
【図１３】図１３ａ及び図１３ｂは、図１２ｂに示す連結部の１つの部品を詳細に拡大した図を示している。
【図１４】図１４ａは本発明の第８の態様における腕時計を示しており、その腕時計は複数の連結部を有するバンド及び四角形の時計ケースを有している。図１４ｂ及び１４ｃは図１４ａの腕時計の連結部を示している。
【図１５】図１５は、図１に示すバンドの連結部の側方部材を製造する１つの工程を示す模式図である。
【図１６】図１６は、図１に示すバンドの連結部の側方部材を製造する一連の工程中の１つの工程を示す模式図である。
【図１７】図１７は、図１に示すバンドの連結部の側方部材を製造する一連の工程中の１つの工程を示す模式図である。
【図１８】図１８は、図１に示すバンドの連結部の側方部材を製造する一連の工程中の１つの工程を示す模式図である。
【図１９】図１９は、図１に示すバンドの連結部の側方部材を製造する一連の工程中の１つの工程を示す模式図である。
【図２０】図２０は、図１に示すバンドの連結部のアクチュエータを製造する一連の工程中の１つの工程を示す模式図である。
【図２１】図２１は、図１に示すバンドの連結部のアクチュエータを製造する一連の工程中の１つの工程を示す模式図である。
【図２２】図２２は、図１に示すバンドの連結部のアクチュエータを製造する一連の工程中の１つの工程を示す模式図である。
【図２３】図２３は、図１に示すバンドの連結部のアクチュエータを製造する一連の工程中の１つの工程を示す模式図である。
【図２４】図２４は、図１に示すバンドの連結部のアクチュエータを製造する一連の工程中の１つの工程を示す模式図である。
【図２５】図２５は、スチールシートから連結部の側方部材を製造する一連の工程中の１つの工程を示す模式図である。
【図２６】図２６は、スチールシートから連結部の側方部材を製造する一連の工程中の１つの工程を示す模式図である。
【図２７】図２７は、図１に示す腕時計の連結部の中央部材を製造する一連の工程中の１つの工程を示す模式図である。
【図２８】図２８は、図１に示す腕時計の連結部の中央部材を製造する一連の工程中の１つの工程を示す模式図である。
【図２９】図２９は、図１に示す腕時計の連結部の中央部材を製造する一連の工程中の１つの工程を示す模式図である。
【図３０】図３０は、図１に示す腕時計の連結部の中央部材を製造する一連の工程中の１つの工程を示す模式図である。
【図３１】図３１は、図１に示す腕時計の連結部の中央部材を製造する一連の工程中の１つの工程を示す模式図である。
【図３２】図３２は、部品を組み立てて図１に示す腕時計の連結部を形成する一連の工程中の１つの工程を示す模式図である。
【図３３】図３３は、部品を組み立てて図１に示す腕時計の連結部を形成する一連の工程中の１つの工程を示す模式図である。
【図３４】図３４は、部品を組み立てて図１に示す腕時計の連結部を形成する一連の工程中の１つの工程を示す模式図である。
【図３５】図３５は、部品を組み立てて図１に示す腕時計の連結部を形成する一連の工程中の１つの工程を示す模式図である。
【図３６】図３６は、部品を組み立てて図１に示す腕時計の連結部を形成する一連の工程中の１つの工程を示す模式図である。
【図３７】図３７は本発明の第９の態様における腕時計を示している。
【図３８】図３８は本発明の第１０の態様における腕時計を示している。
【図３９】図３９は本発明の第１１の態様における腕時計を示している。
【図４０】図４０は、図３９に示すバンドの連結部の構成を模式的に示す三面図である。
【図４１】図４１は、図４０に示す連結部の接続機構の部品を示している。
【図４２】図４２は、図４０と同様の図であるが、連結部の左側にアクチュエータが設けられている形態を示している。
【図４３】図４３は、図４０の連結部の内部構造について、接続機構を省略して示している。
【図４４】図４４は、図４３の連結部の前段階のもの(predecessor)について示している。
【図４５】図４５は、図４２の連結部の内部構造について、接続機構を省略して示している。
【図４６】図４６は、図４５の連結部の前段階のものについて示している。
【図４７】図４７は、図３９のバンドの末端連結部を示している。
【図４８】図４８は、図３９のバンドの別態様の末端連結部を示している。
【図４９】図４９は、図４０の連結部の左側側方部材または図４２の連結部の右側側方部材に用いられる部品を示している。
【図５０】図５０は、図４０及び図４２の連結部のアクチュエータの側面図を示している。
【図５１】図５１は、図４０及び図４２の連結部のアクチュエータの側面図を示している。
【図５２】図５２は、図４０の連結部の左側側方部材または図４２の連結部の右側側方部材に用いられる部品であって、図４０及び図４２の連結部のアクチュエータの側面図を示している。
【図５３】図５３は、図４０の連結部の左側側方部材または図４２の連結部の右側側方部材に用いられる短いピン部材を示している。
【図５４】図５４は、図４０または図４２の連結部に用いられる長いピン部材を示している。
【図５５】図５５は、バンドの接続機構に用いられるスプリングを示している。
【図５６】図５６は、図２のリベット１８６、１８８と同様のリベットを示している。
【図５７】図５７は、図４０または図４２の連結部の中央部材に用いる突出手段を示している。
【図５８】図５８は、図４０の連結部の右側側方部材または図４２の連結部の左側側方部材に用いられる部品を示している。
【図５９】図５９は、本発明の第１２の態様における腕時計のバンド及びその部品を示している。
【図６０】図６０も、本発明の第１２の態様における腕時計のバンド及びその部品を示している。
【図６１】図６１も、本発明の第１２の態様における腕時計のバンド及びその部品を示している。
【図６２】図６２も、本発明の第１２の態様における腕時計のバンド及びその部品を示している。
【図６３】図６３も、本発明の第１２の態様における腕時計のバンド及びその部品を示している。
【図６４】図６４も、本発明の第１２の態様における腕時計のバンド及びその部品を示している。
【図６５】図６５も、本発明の第１２の態様における腕時計のバンド及びその部品を示している。
【図６６】図６６も、本発明の第１２の態様における腕時計のバンド及びその部品を示している。
【図６７】図６７も、本発明の第１２の態様における腕時計のバンド及びその部品を示している。
【図６８】図６８も、本発明の第１２の態様における腕時計のバンド及びその部品を示している。
【図６９】図６９も、本発明の第１２の態様における腕時計のバンド及びその部品を示している。
【図７０】図７０も、本発明の第１２の態様における腕時計のバンド及びその部品を示している。
【図７１】図７１も、本発明の第１２の態様における腕時計のバンド及びその部品を示している。
【図７２】図７２も、本発明の第１２の態様における腕時計のバンド及びその部品を示している。
【図７３】図７３も、本発明の第１２の態様における腕時計のバンド及びその部品を示している。
【図７４】図７４も、本発明の第１２の態様における腕時計のバンド及びその部品を示している。
【図７５】図７５も、本発明の第１２の態様における腕時計のバンド及びその部品を示している。
【図７６】図７６も、本発明の第１２の態様における腕時計のバンド及びその部品を示している。
【図７７】図７７も、本発明の第１２の態様における腕時計のバンド及びその部品を示している。
【図７８】図７８も、本発明の第１２の態様における腕時計のバンド及びその部品を示している。
【図１】
2007130447.tif 000003
【図２】
2007130447.tif 000004
【図３】
2007130447.tif 000005
【図４】
2007130447.tif 000006
【図５】
2007130447.tif 000007
【図６】
2007130447.tif 000008
【図７】
2007130447.tif 000009
【図８】
2007130447.tif 000010
【図９】
2007130447.tif 000011
【図１０】
2007130447.tif 000012
【図１１】
2007130447.tif 000013
【図１２】
2007130447.tif 000014
【図１３】
2007130447.tif 000015
【図１４】
2007130447.tif 000016
【図１５】
2007130447.tif 000017
【図１６】
2007130447.tif 000018
【図１７】
2007130447.tif 000019
【図１８】
2007130447.tif 000020
【図１９】
2007130447.tif 000021
【図２０】
2007130447.tif 000022
【図２１】
2007130447.tif 000023
【図２２】
2007130447.tif 000024
【図２３】
2007130447.tif 000025
【図２４】
2007130447.tif 000026
【図２５】
2007130447.tif 000027
【図２６】
2007130447.tif 000028
【図２７】
2007130447.tif 000029
【図２８】
2007130447.tif 000030
【図２９】
2007130447.tif 000031
【図３０】
2007130447.tif 000032
【図３１】
2007130447.tif 000033
【図３２】
2007130447.tif 000034
【図３３】
2007130447.tif 000035
【図３４】
2007130447.tif 000036
【図３５】
2007130447.tif 000037
【図３６】
2007130447.tif 000038
【図３７】
2007130447.tif 000039
【図３８】
2007130447.tif 000040
【図３９】
2007130447.tif 000041
【図４０】
2007130447.tif 000042
【図４１】
2007130447.tif 000043
【図４２】
2007130447.tif 000044
【図４３】
2007130447.tif 000045
【図４４】
2007130447.tif 000046
【図４５】
2007130447.tif 000047
【図４６】
2007130447.tif 000048
【図４７】
2007130447.tif 000049
【図４８】
2007130447.tif 000050
【図４９】
2007130447.tif 000051
【図５０】
2007130447.tif 000052
【図５１】
2007130447.tif 000053
【図５２】
2007130447.tif 000054
【図５３】
2007130447.tif 000055
【図５４】
2007130447.tif 000056
【図５５】
2007130447.tif 000057
【図５６】
2007130447.tif 000058
【図５７】
2007130447.tif 000059
【図５８】
2007130447.tif 000060
【図５９】
2007130447.tif 000061
【図６０】
2007130447.tif 000062
【図６１】
2007130447.tif 000063
【図６２】
2007130447.tif 000064
【図６３】
2007130447.tif 000065
【図６４】
2007130447.tif 000066
【図６５】
2007130447.tif 000067
【図６６】
2007130447.tif 000068
【図６７】
2007130447.tif 000069
【図６８】
2007130447.tif 000070
【図６９】
2007130447.tif 000071
【図７０】
2007130447.tif 000072
【図７１】
2007130447.tif 000073
【図７２】
2007130447.tif 000074
【図７３】
2007130447.tif 000075
【図７４】
2007130447.tif 000076
【図７５】
2007130447.tif 000077
【図７６】
2007130447.tif 000078
【図７７】
2007130447.tif 000079
【図７８】
2007130447.tif 000080
【外国語明細書】
2007130447.tif 000081
2007130447.tif 000082
2007130447.tif 000083
2007130447.tif 000084
2007130447.tif 000085
2007130447.tif 000086
2007130447.tif 000087
2007130447.tif 000088
2007130447.tif 000089
2007130447.tif 000090
2007130447.tif 000091
2007130447.tif 000092
2007130447.tif 000093
2007130447.tif 000094
2007130447.tif 000095
2007130447.tif 000096
2007130447.tif 000097
2007130447.tif 000098
2007130447.tif 000099
2007130447.tif 000100
2007130447.tif 000101
2007130447.tif 000102
2007130447.tif 000103
2007130447.tif 000104
2007130447.tif 000105
2007130447.tif 000106
2007130447.tif 000107
2007130447.tif 000108
2007130447.tif 000109
2007130447.tif 000110
2007130447.tif 000111
2007130447.tif 000112
2007130447.tif 000113
2007130447.tif 000114
2007130447.tif 000115
2007130447.tif 000116
2007130447.tif 000117
2007130447.tif 000118
2007130447.tif 000119
2007130447.tif 000120
2007130447.tif 000121
2007130447.tif 000122
2007130447.tif 000123
2007130447.tif 000124
2007130447.tif 000125
2007130447.tif 000126
2007130447.tif 000127
2007130447.tif 000128
2007130447.tif 000129
2007130447.tif 000130
2007130447.tif 000131
2007130447.tif 000132
2007130447.tif 000133
2007130447.tif 000134
2007130447.tif 000135
2007130447.tif 000136
2007130447.tif 000137
2007130447.tif 000138
2007130447.tif 000139
2007130447.tif 000140
2007130447.tif 000141
2007130447.tif 000142
2007130447.tif 000143
2007130447.tif 000144
2007130447.tif 000145
2007130447.tif 000146
2007130447.tif 000147
2007130447.tif 000148
2007130447.tif 000149
2007130447.tif 000150
2007130447.tif 000151
2007130447.tif 000152
2007130447.tif 000153
2007130447.tif 000154
2007130447.tif 000155
2007130447.tif 000156
2007130447.tif 000157
2007130447.tif 000158
2007130447.tif 000159
2007130447.tif 000160
2007130447.tif 000161
2007130447.tif 000162
2007130447.tif 000163
2007130447.tif 000164
2007130447.tif 000165
2007130447.tif 000166
2007130447.tif 000167
2007130447.tif 000168
2007130447.tif 000169
2007130447.tif 000170
2007130447.tif 000171
2007130447.tif 000172
2007130447.tif 000173
2007130447.tif 000174
2007130447.tif 000175
2007130447.tif 000176
2007130447.tif 000177
2007130447.tif 000178
2007130447.tif 000179
2007130447.tif 000180
2007130447.tif 000181
2007130447.tif 000182
2007130447.tif 000183
2007130447.tif 000184
2007130447.tif 000185